(57)【要約】      （修正有）【課題】パスルートごとにまとめて管理することで、管理データ量が削減でき、データ管理が容易になる。また、パスルート作成の操作も容易に短時間で行えることから、伝送装置の増設等に、高い信頼性をもって、かつ迅速に対応できる。【解決手段】複数の伝送装置により構成される通信ネットワ−クシステムであって、通信を行う伝送経路を伝送装置間ごとに分断して固有の伝送路として定義付けした伝送路定義デ−タと、固有の伝送路を、通信を行う始点と終点間で伝送経路の経路順に構築した複数のパスル−トとを、デ−タベ−スとして備える演算記憶処理装置を備え、演算記憶処理装置は、複数のパスル−トから一のパスル−トを選択することで、選択した一のパスル−トに含まれる伝送装置の通信設定を伝送路定義デ−タに従って自動的に行う通信ネットワ−クシステムとする。【選択図】図１
2008153727.tif 000002
【特許請求の範囲】
【請求項１】
複数のスイッチ部から構成される伝送装置と、各伝送装置間を通信可能に接続する伝送路と、から構成される通信ネットワ−クシステムに接続され、
前記伝送路ごとに、接続する二の伝送装置とその使用ポ−トとを通信方向を加味して関連付けて作成した伝送路定義デ−タ、を記憶する記憶装置を備える
ことを特徴とする通信ネットワ−クシステム制御装置。
【請求項２】
前記記憶装置は、前記伝送路定義デ−タの複数の伝送路を通信方向の順に構成することで作成した複数のパスル−トからなるパスル−トデ−タ、を記憶する
ことを特徴とする請求項１に記載の通信ネットワ−クシステム制御装置。
【請求項３】
前記複数のスイッチ部は、伝送路パッケ−ジとＳＳＷパッケ−ジとから構成され、
前記複数のパスル−トは、通信を行う端末パッケ−ジ間で通信方向ごとに複数作成される
ことを特徴とする請求項２に記載の通信ネットワ−クシステム制御装置。
【請求項４】
前記通信ネットワ−クシステム制御装置は、前記パスル−トデ−タから一のパスル−トが選択された際に、前記選択された一のパスル−トを構築できるように、前記伝送装置のスイッチ部を制御し設定する指令を前記伝送装置に出力する
ことを特徴とする請求項２または請求項３に記載の通信ネットワ−クシステム制御装置。
【請求項５】
複数の伝送装置と、複数の伝送路と、演算処理装置と、から構成される通信ネットワ−クシステムであって、
前記伝送装置は、複数のＳＷ部から構成されるとともに前記ＳＷ部を制御するＳＷ制御装置を備え、
前記演算処理装置は、前記伝送装置間の伝送路を各々分別して定義する伝送路定義デ−タと、前記複数の伝送路で構成される複数のパスル−トと、を記憶する記憶装置を備え、
前記伝送装置間の通信経路の設定を、前記複数のパスル−トの中から一のパスル−トを選択することで、自動的に設定する
ことを特徴とする通信ネットワ−クシステムのパス設定方法。
【請求項６】
前記伝送装置間の通信経路の設定は、
前記伝送装置のＳＷ制御装置による前記複数のＳＷ部の制御により設定される
ことを特徴とする請求項５に記載の通信ネットワ−クシステムのパス設定方法。
【請求項７】
前記伝送装置間の通信経路の設定は、異なる伝送装置に配設された端末パッケ−ジ間の通信経路の設定である
ことを特徴とする請求項５または請求項６に記載する通信ネットワ−クシステムのパス設定方法。
【請求項８】
複数の伝送装置により構成される通信ネットワ−クシステムであって、
通信を行う伝送経路を前記伝送装置間ごとに分断して固有の伝送路として定義付けした伝送路定義デ−タと、
前記固有の伝送路を、前記通信を行う始点と終点間で前記伝送経路の経路順に構築した複数のパスル−トとを、デ−タベ−スとして備える演算記憶処理装置を備え、
前記演算記憶処理装置は、前記複数のパスル−トから一のパスル−トを選択することで、前記選択した一のパスル−トに含まれる伝送装置の通信設定を前記伝送路定義デ−タに従って自動的に行う
ことを特徴とする通信ネットワ−クシステム。
【請求項９】
前記伝送路定義デ−タは、
前記伝送路の始点の伝送装置と前記始点の伝送装置が前記伝送路に使用するポ−トと、
前記伝送路の終点の伝送装置と前記終点の伝送装置が前記伝送路に使用するポ−トと、
から構成される
ことを特徴とする請求項８に記載の通信ネットワ−クシステム。
【請求項１０】
前記演算記憶処理装置は、前記伝送装置の増設時に、
前記増設にかかる新たな伝送装置と、
前記増設にかかる新たな伝送装置と伝送路で直接に接続される伝送装置と、
の間の伝送路についてのみ前記伝送路定義デ−タの更新を行う
ことを特徴とする請求項８または請求項９に記載する通信ネットワ−クシステム。
【請求項１１】
前記演算記憶処理装置は、前記伝送装置の増設時に、前記複数のパスル−トのうち、
前記増設にかかる新たな伝送装置が増設される箇所をパスル−トの一部または全部として包含するパスル−トについてのみ前記パスル−トのデ−タ更新を行う
ことを特徴とする請求項１０に記載する通信ネットワ−クシステム。
【請求項１２】
前記演算記憶処理装置は、前記伝送装置の減設時に、
前記減設にかかる伝送装置と、
前記減設にかかる伝送装置と伝送路で直接に接続されていた伝送装置と、
の間の伝送路についてのみ前記伝送路定義デ−タの更新を行う
ことを特徴とする請求項８または請求項９に記載する通信ネットワ−クシステム。
【請求項１３】
前記演算記憶処理装置は、前記伝送装置の減設時に、前記複数のパスル−トのうち、
前記減設にかかる伝送装置が位置する箇所をパスル−トの一部または全部として包含するパスル−トについてのみ前記パスル−トのデ−タ更新を行う
ことを特徴とする請求項１２に記載する通信ネットワ−クシステム。
【請求項１４】
複数の伝送装置と前記伝送装置間を接続する複数の伝送路とから構成される通信ネットワ−クと、
前記通信ネットワ−クに接続される演算記憶処理装置を備える通信ネットワ−クシステムにおいて、
前記伝送路を、接続する二の伝送装置とその接続に使用するポ−トとから前記伝送路ごとに個別に定義する伝送路定義デ−タ作成工程と、
通信を行う前記伝送装置間で、前記伝送路を経路順に加えて構成し、少なくとも一の異なる伝送路を構成経路とする二以上のパスル−トを作成するパスル−トデ−タ作成工程と、前記パスル−トデ−タから一のパスル−トを選択する工程と、
前記演算記憶処理装置が、前記選択されたパスル−トを構成する前記伝送路にかかる前記伝送路定義デ−タに基づいて、該パスル−トを構築するためのパス設定デ−タを自動的に作成する工程と、
前記演算記憶処理装置が、前記パス設定デ−タを前記伝送装置に送信する工程と、
前記伝送装置が、受信した前記パス設定デ−タに基づき前記伝送装置のパス設定を行う工程と、を有する
ことを特徴とする通信ネットワ−クシステムのパス設定方法。
【請求項１５】
複数の伝送装置と前記伝送装置間を接続する複数の伝送路とから構成される通信ネットワ−クと、
前記通信ネットワ−クに接続される演算記憶処理装置を備える通信ネットワ−クシステムであって、
前記伝送路を、接続する二の伝送装置とその接続に使用するポ−トとから前記伝送路ごとに個別に定義する伝送路定義デ−タを保持し、
通信を行う前記伝送装置間で、前記伝送路を経路順に加えて構成し、少なくとも一の異なる伝送路を構成経路とする二以上のパスル−トを作成するパスル−トデ−タを保持し、
前記パスル−トデ−タから一のパスル−トが選択されたことにより、
前記選択されたパスル−トを構成する前記伝送路にかかる前記伝送路定義デ−タに基づき、該パスル−トを構築するためのパス設定デ−タを自動的に作成する
ことを特徴とする通信ネットワ−クシステムの演算記憶処理装置。
【請求項１６】
請求項１４の処理をパソコンで実行させるための処理プログラム。
【発明の詳細な説明】
【技術分野】
【０００１】
本発明は、複数の空間スイッチ（ＳＳＷ：Ｓｐａｃｅ  Ｓｗｉｔｃｈ）や時分割多重スイッチ（ＴＳＷ：Ｔｉｍｅ  Ｓｗｉｔｃｈ）から構成される伝送装置において、伝送装置に実装された端末パッケ−ジ間での通信を確立する場合の、パス設定デ−タを作成する方法に関し、特に通信ネットワ−クシステムのパス設定方法やその制御装置に関する。
【背景技術】
【０００２】
複数の伝送装置と伝送路で構成されるネットワ−クシステムにおいては、伝送装置を増設する場合や伝送装置を減設する場合、また帯域の割付を変更して伝送レ−トを変更する場合など伝送路に変更が生じる場合がある。このような場合には従来、逐一、対向する伝送装置各々のパス設定情報を新たに作成し、各々の伝送装置に個別にパス設定コマンドを送信して実行することで伝送路を構築していた。
【０００３】
しかし、最近の大規模化したネットワ−ク網においては、伝送装置間のパス設定を変更するたびに、逐一、全ての通信経路の伝送装置間のパス設定を新たに構築し直し、伝送装置ごとに設定し実行していたのでは、新たなネットワ−ク網の構築や変更に多大な時間と労力を要することとなる。さらに、このような個別対応のパス設定では、複雑なネットワ−ク網において人為的な設定ミスが発生し、またパス確認に時間を要し、デ−タの損失や誤操作が発生する懸念が増大していた。
【０００４】
また、伝送装置内には複数のスイッチが配設され構成されており、このスイッチ部の容量を効率的に使用するために、従来、同一装置内の端末パッケ−ジとＳＳＷとの間のパス設定デ−タは、個別に設定される。また、同一装置内の伝送路（ＴＳＷ）パッケ−ジとＳＳＷとの間のパス設定デ−タも、個別に設定される。また、ＳＳＷ内のパス設定デ−タも、個別に設定される。
【０００５】
また、端末パッケ−ジは、任意の伝送装置に備えられることで、端末パッケ−ジ間のデ−タ通信を可能とする。端末パッケ−ジ間の通信は、複数の伝送装置や伝送路からなるネットワ−クを経由して実現される。このように、伝送装置内の複数のスイッチを前述のごとく各々個別対応にて設定することで、複雑なネットワ−クにおいても、フレキシブルにパス設定が行える。一方、ネットワ−クが複雑にかつ大規模になれば、ネットワ−クの設計作業量や設計操作量、設計管理する対称デ−タ量も増大する。その結果、個別対応でのパス設定デ−タ作成の信頼性が低下することが懸念されている。
【０００６】
このような状況から、簡易なパス再設定を実現することを目的として、従来、以下の方法が提案されていた。すなわち、対向する伝送装置が新たに増設された場合に、増設を検出した対向伝送装置が、自ら保持するパス設定情報を新たな増設伝送装置に送信する。そして、このパス設定情報で自らの伝送装置内のパス設定も行い、また、増設伝送装置でも受信したパス設定情報に基づき増設伝送装置内のパス設定を行う。これにより、両伝送装置間の通信経路を確立する。例えば、特許文献１にはその一例が記載されている。
【特許文献１】ＷＯ２００４／０６８８０３
【特許文献２】特開２００６−２２２７１８
【発明の開示】
【発明が解決しようとする課題】
【０００７】
しかし、従来のパス設定では、伝送装置間ごとに個別にパス設定情報を保有し、伝送装置間ごとにパス設定の送受信を行う必要がある。従って、パス設定の実行も個別の伝送装置間にて、別個独立に行うこととなり、ＳＷ毎のパス設定管理デ−タが増大する。また、パス設定の設定操作回数も多く、パスル−ト変更時の作業量と管理デ−タ量が膨大となることで、多大な労力と時間を要し、人為ミスの発生も懸念される。さらに、あくまで一伝送装置間でのパス設定であって、端末パッケ−ジ間のネットワ−クシステム全体の最適な伝送経路については、一切考慮されていないという問題があった。
【課題を解決するための手段】
【０００８】
この発明にかかる通信ネットワ−クシステム制御装置は、複数のスイッチ部から構成される伝送装置と、各伝送装置間を通信可能に接続する伝送路と、から構成される通信ネットワ−クシステムに接続され、伝送路ごとに、接続する二の伝送装置とその使用ポ−トとを通信方向を加味して関連付けて作成した伝送路定義デ−タ、を記憶する記憶装置を備えることを特徴とする。
【０００９】
また、この発明にかかる通信ネットワ−クシステム制御装置は、好ましくは記憶装置が、伝送路定義デ−タの複数の伝送路を通信方向の順に構成することで作成した複数のパスル−トからなるパスル−トデ−タを記憶することを特徴とする。
また、この発明にかかる通信ネットワ−クシステム制御装置は、好ましくは複数のスイッチ部が、伝送路パッケ−ジとＳＳＷパッケ−ジとから構成され、複数のパスル−トが、通信を行う端末パッケ−ジ間で通信方向ごとに複数作成されることを特徴とする。
【００１０】
また、この発明にかかる通信ネットワ−クシステム制御装置は、好ましくはパスル−トデ−タから一のパスル−トが選択された際に、選択された一のパスル−トを構築できるように、伝送装置のスイッチ部を制御し設定する指令を伝送装置に出力することを特徴とする。
また、この発明にかかる通信ネットワ−クシステムのパス設定方法は、複数の伝送装置と、複数の伝送路と、演算処理装置と、から構成される通信ネットワ−クシステムであって、伝送装置が、複数のＳＷ部から構成されるとともにＳＷ部を制御するＳＷ制御装置を備え、演算処理装置が、伝送装置間の伝送路を各々分別して定義する伝送路定義デ−タと、複数の伝送路で構成される複数のパスル−トと、を記憶する記憶装置を備え、伝送装置間の通信経路の設定を、複数のパスル−トの中から一のパスル−トを選択することで、自動的に設定することを特徴とする。
【００１１】
また、この発明にかかる通信ネットワ−クシステムのパス設定方法は、好ましくは伝送装置間の通信経路の設定が、伝送装置のＳＷ制御装置による複数のＳＷ部の制御により設定されることを特徴とする。
また、この発明にかかる通信ネットワ−クシステムのパス設定方法は、好ましくは伝送装置間の通信経路の設定が、異なる伝送装置に配設された端末パッケ−ジ間の通信経路の設定であることを特徴とする。
【００１２】
また、この発明にかかる通信ネットワ−クシステムは、複数の伝送装置により構成される通信ネットワ−クシステムであって、通信を行う伝送経路を伝送装置間ごとに分断して固有の伝送路として定義付けした伝送路定義デ−タと、固有の伝送路を、通信を行う始点と終点間で伝送経路の経路順に構築した複数のパスル−トとを、デ−タベ−スとして備える演算記憶処理装置を備え、演算記憶処理装置は、複数のパスル−トから一のパスル−トを選択することで、選択した一のパスル−トに含まれる伝送装置の通信設定を伝送路定義デ−タに従って自動的に行うことを特徴とする。
【００１３】
また、この発明にかかる通信ネットワ−クシステムは、好ましくは伝送路定義デ−タが、伝送路の始点の伝送装置と始点の伝送装置が伝送路に使用するポ−トと、伝送路の終点の伝送装置と終点の伝送装置が伝送路に使用するポ−トと、から構成されることを特徴とする。
また、この発明にかかる通信ネットワ−クシステムは、好ましくは演算記憶処理装置が、伝送装置の増設時に、増設にかかる新たな伝送装置と、増設にかかる新たな伝送装置と伝送路で直接に接続される伝送装置と、の間の伝送路についてのみ伝送路定義デ−タの更新を行うことを特徴とする。
【００１４】
また、この発明にかかる通信ネットワ−クシステムは、好ましくは演算記憶処理装置が、伝送装置の増設時に、複数のパスル−トのうち、増設にかかる新たな伝送装置が増設される箇所をパスル−トの一部又は全部として包含するパスル−トについてのみパスル−トのデ−タ更新を行うことを特徴とする。
また、この発明にかかる通信ネットワ−クシステムは、好ましくは演算記憶処理装置が、伝送装置の減設時に、減設にかかる伝送装置と、減設にかかる伝送装置と伝送路で直接に接続されていた伝送装置と、の間の伝送路についてのみ伝送路定義デ−タの更新を行うことを特徴とする。
【００１５】
また、この発明にかかる通信ネットワ−クシステムは、好ましくは演算記憶処理装置が、伝送装置の減設時に、複数のパスル−トのうち、減設にかかる伝送装置が位置する箇所をパスル−トの一部又は全部として包含するパスル−トについてのみパスル−トのデ−タ更新を行うことを特徴とする。
また、この発明にかかる通信ネットワ−クシステムのパス設定方法は、複数の伝送装置と伝送装置間を接続する複数の伝送路とから構成される通信ネットワ−クと、通信ネットワ−クに接続される演算記憶処理装置を備える通信ネットワ−クシステムにおいて、伝送路を、接続する二の伝送装置とその接続に使用するポ−トとから伝送路ごとに個別に定義する伝送路定義デ−タ作成工程と、通信を行う伝送装置間で、伝送路を経路順に加えて構成し、少なくとも一の異なる伝送路を構成経路とする二以上のパスル−トを作成するパスル−トデ−タ作成工程と、パスル−トデ−タから一のパスル−トを選択する工程と、演算記憶処理装置が、選択されたパスル−トを構成する伝送路にかかる伝送路定義デ−タに基づいて、パスル−トを構築するためのパス設定デ−タを自動的に作成する工程と、演算記憶処理装置が、パス設定デ−タを伝送装置に送信する工程と、伝送装置が、受信したパス設定デ−タに基づき伝送装置のパス設定を行う工程と、を有することを特徴とする。
【００１６】
また、この発明にかかる通信ネットワ−クシステムの演算記憶処理装置は、複数の伝送装置と伝送装置間を接続する複数の伝送路とから構成される通信ネットワ−クと、通信ネットワ−クに接続される演算記憶処理装置を備える通信ネットワ−クシステムであって、伝送路を、接続する二の伝送装置とその接続に使用するポ−トとから伝送路ごとに個別に定義する伝送路定義デ−タを保持し、通信を行う伝送装置間で、伝送路を経路順に加えて構成し、少なくとも一の異なる伝送路を構成経路とする二以上のパスル−トを作成するパスル−トデ−タを保持し、パスル−トデ−タから一のパスル−トが選択されたことにより、選択されたパスル−トを構成する伝送路にかかる伝送路定義デ−タに基づき、パスル−トを構築するためのパス設定デ−タを自動的に作成することを特徴とする。
【００１７】
また、この発明にかかる処理プログラムは、複数の伝送装置と伝送装置間を接続する複数の伝送路とから構成される通信ネットワ−クと、通信ネットワ−クに接続される演算記憶処理装置を備える通信ネットワ−クシステムにおいて、伝送路を、接続する二の伝送装置とその接続に使用するポ−トとから伝送路ごとに個別に定義する伝送路定義デ−タ作成工程と、通信を行う伝送装置間で、伝送路を経路順に加えて構成し、少なくとも一の異なる伝送路を構成経路とする二以上のパスル−トを作成するパスル−トデ−タ作成工程と、パスル−トデ−タから一のパスル−トを選択する工程と、演算記憶処理装置が、選択されたパスル−トを構成する伝送路にかかる伝送路定義デ−タに基づいて、パスル−トを構築するためのパス設定デ−タを自動的に作成する工程と、演算記憶処理装置が、パス設定デ−タを伝送装置に送信する工程と、伝送装置が、受信したパス設定デ−タに基づき伝送装置のパス設定を行う工程と、をパソコンで実行するための処理プログラムである。
【発明の効果】
【００１８】
パスル−トごとにまとめて管理することで、管理デ−タ量が削減でき、デ−タ管理が容易になる。また、パスル−ト作成の操作も容易に短時間で行えることから、伝送装置の増設等に、高い信頼性をもって、かつ迅速に対応できる。
【発明を実施するための最良の形態】
【００１９】
（実施形態１）
図１に、本発明が適用されるネットワ−ク例として、複数のＳＷ部を備える伝送装置とそのネットワ−ク構成を示す。この図において、伝送装置Ａ局１１、伝送装置Ｂ局１２、伝送装置Ｃ局１３、伝送装置Ｄ局１４の四つの伝送装置と、伝送路１ａ等とからネットワ−クシステム１ｂが構成される。
【００２０】
伝送装置Ａ局１１に備えられた端末パッケ−ジ１９には、電話機１５が接続される。同様に、伝送装置Ｃ局１３にも図示しない端末パッケ−ジと、その端末パッケ−ジに接続された電話機１６が備えられる。電話機１５と電話機１６と間での通信は、伝送装置Ａ局１１と伝送装置Ｃ局１３との間のネットワ−クパスの構築により実現される。換言すれば、伝送装置Ａ局１１の端末パッケ−ジ１９と、伝送装置Ｃ局１３の図示しない端末パッケ−ジとの間で、パスを構築することで通信が確立される。
【００２１】
このため、伝送装置Ａ局１１は、伝送路パッケ−ジ１７とＳＳＷパッケ−ジ１８とを備える。伝送路パッケ−ジ１７は、クロスコネクトを含み複数のＴＳＷ（Ｔｉｍｅ  Ｓｗｉｔｃｈ）から構成される。ＳＳＷパッケ−ジ１８は、複数のＳＳＷ（Ｓｐａｃｅ  Ｓｗｉｔｃｈ）から構成される。そして、これらのスイッチをオン／オフすることで、目的とする端末パッケ−ジ間で通信網が構築できるようにパスを設定することとなる。
【００２２】
次に、図２に示す２つの端末パッケ−ジ間でのパス構築模式図を用いて、パス設定について説明する。図２においては、図１と同一の装置については同一の符号を付している。この図では、伝送装置Ａ局１１に接続された電話機１５と、伝送装置Ｃ局１３に接続された電話機１６との間で通信をする場合を示す。
電話機１５は、伝送装置Ａ局１１の端末パッケ−ジ１９に接続される。端末パッケ−ジ１９は、ＳＳＷパッケ−ジ１８のポ−ト１端子へと接続される。さらに、ＳＳＷパッケ−ジ１８のポ−ト８端子は、伝送路パッケ−ジ（ＴＳＷ）１７（ａ）へ接続される。伝送路パッケ−ジ（ＴＳＷ）１７（ａ）は、高速外部伝送路２５を経由して伝送装置Ｂ局１２の伝送路パッケ−ジ１２（ｂ）へと接続される。すなわち、伝送装置Ａ局１１の伝送路パッケ−ジ（ＴＳＷ）１７（ａ）と、伝送装置Ｂ局１２の伝送路パッケ−ジ１２（ｂ）とが接続されることで、伝送装置Ａ局１１と伝送装置Ｂ局１２との間で高速外部伝送路２５を介して通信可能となる。
【００２３】
伝送装置Ｂ局１２の伝送路パッケ−ジ１２（ｂ）は、伝送装置Ｂ局１２のＳＳＷパッケ−ジ２２を経由して、伝送路パッケ−ジ１２（ａ）へと接続される。すなわち、この接続がなされるように伝送装置Ｂ局１２内のＳＳＷパッケ−ジ２２と伝送路パッケ−ジ１２（ａ）１２（ｂ）の各スイッチが設定される構成とする。伝送装置Ｂ局１２内の装置構成は、伝送装置Ａ局１１内の装置構成と、基本的に同じある。しかし、この態様では伝送装置Ｂ局１２は、電話機１５を備えないので、端末パッケ−ジ１９を配設する必要はない。伝送路パッケ−ジ１２（ａ）は、他の高速外部伝送路を通じて伝送装置Ｃ局１３の伝送路パッケ−ジ１３（ａ）と接続される。
【００２４】
伝送装置Ｃ局１３では、伝送路パッケ−ジ１３（ａ）と端末パッケ−ジ２９との間でＳＳＷパッケ−ジ２３を介して接続することにより、通信経路が構成されるように各スイッチが設定される。また、伝送装置Ｃ局１３内の装置構成は、伝送装置Ａ局１１内の装置構成と、基本的に同じある。また、伝送装置Ｃ局１３は、電話機１６を備えるので端末パッケ−ジ２９を配設する。これにより、端末パッケ−ジ２９に接続される電話機１６と、伝送装置Ａ局１１に接続された電話機１５との間で、一の通信経路が構築されることとなる。
【００２５】
一方、実際の通信網では、通信障害発生等の非常時に備えて予備の通信経路も確保しておく必要がある。そこで、前述と同様にして他の予備経路が構築される。すなわち、電話機１５は、伝送装置Ａ局１１の端末パッケ−ジ１９に接続される。端末パッケ−ジ１９は、ＳＳＷパッケ−ジ１８のポ−ト１端子へと接続される。さらに、ＳＳＷパッケ−ジ１８のポ−ト９端子は、伝送路パッケ−ジ（ＴＳＷ）１７（ｂ）へ接続される。伝送路パッケ−ジ（ＴＳＷ）１７（ｂ）は、高速外部伝送路２６を経由して伝送装置Ｄ局１４の伝送路パッケ−ジ１４（ｂ）へと接続される。すなわち、伝送装置Ａ局１１の伝送路パッケ−ジ（ＴＳＷ）１７（ｂ）と、伝送装置Ｄ局１４の伝送路パッケ−ジ１４（ｂ）とが接続されることで、伝送装置Ａ局１１と伝送装置Ｄ局１４との間で高速外部伝送路２６を介して通信可能となる。
【００２６】
伝送装置Ｄ局１４の伝送路パッケ−ジ１４（ｂ）は、伝送装置Ｄ局１４のＳＳＷパッケ−ジ２４を経由して、伝送路パッケ−ジ１４（ａ）へと接続されるスイッチ設定となる。伝送装置Ｄ局１４内の装置構成は、伝送装置Ａ局１１内の装置構成と、基本的に同じある。しかし、伝送装置Ｄ局１４には、電話機１５を備えないので端末パッケ−ジ１９を配設する必要はない。伝送路パッケ−ジ１４（ａ）は、他の高速外部伝送路を通じて伝送装置Ｃ局１３の伝送路パッケ−ジ１３（ｂ）と接続される。
【００２７】
伝送装置Ｃ局１３では、伝送路パッケ−ジ１３（ｂ）と端末パッケ−ジ２９との間で、ＳＳＷパッケ−ジ２３を介して接続することにより、通信経路が構成されるように各スイッチが設定される。また、伝送装置Ｃ局１３内の装置構成は、伝送装置Ａ局１１内の装置構成と、基本的に同じある。また、伝送装置Ｃ局１３は、電話機１６を備えるので端末パッケ−ジ２９を配設する。これにより、端末パッケ−ジ２９に接続される電話機１６と、伝送装置Ａ局に接続された電話機１５との間で、他の予備の通信経路が構築されることとなる。
【００２８】
なお、ＳＳＷパッケ−ジ（コネクト）１８内の設定デ−タは、例えばポ−ト１からポ−ト８方向へアドレス１で帯域５、ポ−ト１からポ−ト９方向へアドレス１で帯域５、ポ−ト８からポ−ト１方向へアドレス１で帯域５、ポ−ト９からポ−ト１方向へアドレス１で帯域５、というデ−タがある。
なお、伝送路パッケ−ジ（クロスコネクト）１７（ｂ）内はＳＳＷ側の使用帯域をＴＳ１〜ＴＳ５とし、伝送路側使用帯域をＴＳ２１〜ＴＳ２５とした場合、以下のデ−タがある。例えば、高速外部伝送路２６からＳＳＷパッケ−ジ１８方向へは、送信アドレス２１、受信アドレス１、帯域５とする。また、ＳＳＷパッケ−ジ１８から高速外部伝送路２６方向へは、送信アドレス１、受信アドレス２１、帯域５とするなどのデ−タがある。
【００２９】
また、通信を確立する端末は電話機の他にＦＡＸでもよく、ＴＶ回線、その他のＬＡＮ回線を経由するものであってもよい。
また、伝送装置間の接続構成として、一般に図３（ａ）に示すオ−プンリング構成や、図３（ｂ）に示すリング構成などの比較的簡単で規則的なネットワ−ク構成がある。このような場合には、伝送装置間での通信経路の構築が比較的単純で、規則的に決められるネットワ−クシステムとなる。
【００３０】
また、伝送装置の接続構成として、図４に示す複雑なネットワ−ク構成がある。最近の大規模通信網では、このような複雑なネットワ−クを構築する傾向がますます強くなってきている。図４のネットワ−ク構成において、伝送装置Ｃ局４１と伝送装置Ｇ局４７との間で通信経路を構築する場合、複数の通信経路が構築可能となる。
すなわち、伝送装置Ｃ局４１−伝送装置Ｂ局４２−伝送装置Ａ局４３−伝送装置Ｄ局４４−伝送装置Ｇ局４７という一の経路がある。また、伝送装置Ｃ局４１−伝送装置Ｆ局４６−伝送装置Ｈ局４８−伝送装置Ｇ局４７という他の一の経路がある。また、伝送装置Ｃ局４１−伝送装置Ｆ局４６−伝送装置Ｅ局４５−伝送装置Ｄ局４４−伝送装置Ｇ局４７という他の一の経路がある。また、その他の通信経路もある。
【００３１】
いずれの通信経路を主経路として、いずれの通信経路を予備経路とするかは、任意であるが、通信経路に要求される特性により決めることができる。より安全で確実な通信経路の確保を目的とする場合には、主経路と予備経路は、可能な限り異なる伝送装置と異なる伝送路（伝送ル−ト）とを選択するようにパス（通信経路）を構築する。すなわち、一の伝送経路の一部に通信障害が発生した場合に、予備経路もその障害が発生した一部を利用する伝送経路であれば、仮に予備経路に切り替えたとしても、通信障害を回避し得ない。しかし、全く異なる伝送装置と異なる伝送ル−トを経由して構築された予備伝送経路においては、その障害発生箇所を経由することはないので、予備経路（予備ル−ト）への切り替えにより、通信を確保できることとなる。
【００３２】
また、極めて高速な通信を目的とする場合、伝送装置Ｃ局４１と伝送装置Ｇ局４７との間で構成される複数の通信経路の中から、最も通信速度の速い経路を主経路とし、二番目に通信速度の速い経路を予備経路とすることも可能である。すなわち、各通信経路間では、伝送距離や伝送装置の規模、スイッチ動作速度等の物理的条件が異なる場合があることから、経由する伝送路によって伝送装置Ｃ局４１と伝送装置Ｇ局４７との間の通信時間に、差異が生じる場合があるからである。
【００３３】
次に、図５に示す伝送路とポ−トの概念図、図６に示す伝送路定義デ−タを用いて、パス設定について具体的に説明する。図５において、伝送装置Ａ局５１は、伝送装置Ｂ局５２と通信をする。また、伝送装置Ｂ局５２は、伝送装置Ｃ局５３と通信をする。伝送装置Ａ局５１から伝送装置Ｂ局５２への通信経路を伝送路１（５４）とし、伝送装置Ｂ局５２から伝送装置Ａ局５１への通信経路を伝送路４（５７）とする。また、伝送装置Ｂ局５２から伝送装置Ｃ局５３への通信経路を伝送路２（５５）とし、伝送装置Ｃ局５３から伝送装置Ｂ局５２への通信経路を伝送路３（５６）とする。
【００３４】
また、伝送装置Ａ局５１は、伝送装置Ｂ局５２との通信にポ−ト９（５８）を割り当てて使用する。伝送装置Ｂ局５２は、伝送装置Ａ局との通信にポ−ト８（５９）を割り当てて使用し、伝送装置Ｃ局との通信にポ−ト９（５ａ）を割り当てて使用する。また、伝送装置Ｃ局５３は、伝送装置Ｂ局５２との通信にポ−ト８（５ｂ）を割り当てて使用する。
このように、伝送装置間の各伝送路の接続名を定義付けし、各伝送装置と、各伝送路を区別して認識し、伝送路を個別に指定できるようにする。ここでは、これを伝送路定義デ−タとするため、この定義付けを用いて図６に示すようなテ−ブル（一覧表）を作成する。  図６において、伝送装置Ａ局５１を始点とし伝送装置Ｂ局５２を終点とする伝送路を伝送路１（５４）とし、伝送装置Ａ局５１にポ−ト９（５８）を割り当て伝送装置Ｂ局５２にポ−ト８（５９）を割り当てる。また、伝送装置Ｂ局５２を始点とし伝送装置Ｃ局５３を終点とする伝送路を伝送路２（５５）とし、伝送装置Ｂ局５２にポ−ト９（５ａ）を割り当て伝送装置Ｃ局５３にポ−ト８（５ｂ）を割り当てる。
【００３５】
また、伝送装置Ｃ局５３を始点とし伝送装置Ｂ局５２を終点とする伝送路を伝送路３（５６）とし、伝送装置Ｃ局５３にポ−ト８（５ｂ）を割り当て伝送装置Ｂ局５２にポ−ト９（５ａ）を割り当てる。また、伝送装置Ｂ局５２を始点とし伝送装置Ａ局５１を終点とする伝送路を伝送路４（５７）とし、伝送装置Ｂ局５２にポ−ト８（５９）を割り当て伝送装置Ａ局５１にポ−ト９（５８）を割り当てる。このように、全ての伝送路について伝送路の定義付けを行う。この定義付けデ−タは、いわば伝送路のデ−タベ−スとして、伝送装置と接続されたコントロ−ラや、制御装置となるコンピュ−タ等の演算装置に保持される。
【００３６】
次に、端末パッケ−ジ間で通信するために必要となる伝送装置間のパスル−ト構成を検討する。この際、図６において定義した伝送路ごとに始点と終点が規定されているので、パスル−トを構築したい伝送装置間でベクトル（又は方向性）を考慮し、伝送経路を構築するように図６の伝送路定義デ−タに示す伝送路１〜４から通信経路順に複数ル−トを選択する。また、この図では、説明を簡単にするために規則的な単純ル−ト（オ−プンリング）の場合を示すが、複数の通信経路を構築できるように、複数の予備ル−トを伝送装置間で予め構築することが好ましい。
【００３７】
図７では、複雑なネットワ−クの場合の伝送路とポ−トの概念図を、図８では、複雑なネットワ−クの場合の伝送路定義デ−タをそれぞれ示す。図７において、通信ネットワ−ク７０は、伝送装置Ａ局７１、伝送装置Ｂ局７２、伝送装置Ｃ局７３、伝送装置Ｄ局７４、伝送装置Ｅ局７５、伝送装置Ｆ局７６、伝送装置Ｇ局７７、伝送装置Ｈ局７８の八つの伝送装置から構成され、複数の伝送路を有する複雑なネットワ−クを構成する。
【００３８】
この図においては、特に端末パッケ−ジは図示しない。すなわち、この伝送路定義デ−タの作成においては、どの伝送装置に端末パッケ−ジが追加され、又は削除され、あるいはどの位置に伝送装置が追加され、又は削除された場合であってもフレキシブルに対応できるよう、全ての伝送装置間の各伝送路について、個別に伝送路を定義してテ−ブルとすることが好ましい。もっとも、明らかに使用しない伝送路がある場合には、伝送路定義デ−タに含めない伝送路定義テ−ブルを作成することで、不必要なデ−タの肥大化を防止できるので好ましい。また、図示しないが、伝送路定義デ−タ等を保持し、後述のパスル−ト処理を行うパソコン等の演算処理装置が、ネットワ−クシステムに接続されている。
【００３９】
また、図７においては伝送装置Ｅ局７５と伝送装置Ｇ局７７との間では伝送路が定義されない。図７において、この間の伝送路が記載されていないのは、実際に物理的配線が伝送装置Ｅ局７５と伝送装置Ｇ局７７との間で敷設されていないか、又は敷設されていても使用できないか、又は将来にわたって全く使用する見込みのない場合である。将来のいずれかの時点で使用可能となるか、使用する見込みのある伝送路であれば、使用可能となって以降に有効となる伝送路デ−タとして、条件付きで伝送路定義デ−タに含めることが好ましい。
【００４０】
ここで、伝送装置Ａ局７１から伝送装置Ｂ局７２への伝送路は伝送路１であり、伝送装置Ｂ局７２から伝送装置Ａ局７１への伝送路は伝送路２０である。また、伝送装置Ｂ局７２から伝送装置Ｃ局７３への伝送路は伝送路２であり、伝送装置Ｃ局７３から伝送装置Ｂ局７２への伝送路は伝送路１９である。また、伝送装置Ｃ局７３から伝送装置Ｆ局７６への伝送路は伝送路３であり、伝送装置Ｆ局７６から伝送装置Ｃ局７３への伝送路は伝送路１８である。
【００４１】
また、伝送装置Ｆ局７６から伝送装置Ｈ局７８への伝送路は伝送路４であり、伝送装置Ｈ局７８から伝送装置Ｆ局７６への伝送路は伝送路１７である。また、伝送装置Ｈ局７８から伝送装置Ｇ局７７への伝送路は伝送路５であり、伝送装置Ｇ局７７から伝送装置Ｈ局７８への伝送路は伝送路１６である。また、伝送装置Ｇ局７７から伝送装置Ｄ局７４への伝送路は伝送路６であり、伝送装置Ｄ局７４から伝送装置Ｇ局７７への伝送路は伝送路１５である。
【００４２】
また、伝送装置Ｄ局７４から伝送装置Ａ局７１への伝送路は伝送路７であり、伝送装置Ａ局７１から伝送装置Ｄ局７４への伝送路は伝送路１４である。また、伝送装置Ｂ局７２から伝送装置Ｅ局７５への伝送路は伝送路８であり、伝送装置Ｅ局７５から伝送装置Ｂ局７２への伝送路は伝送路１３である。また、伝送装置Ｄ局７４から伝送装置Ｅ局７５への伝送路は伝送路９であり、伝送装置Ｅ局７５から伝送装置Ｄ局７４への伝送路は伝送路１２である。また、伝送装置Ｅ局７５から伝送装置Ｆ局７６への伝送路は伝送路１０であり、伝送装置Ｆ局７６から伝送装置Ｅ局７５への伝送路は伝送路１１である。
【００４３】
このように、ネットワ−クシステム全ての伝送路について伝送路の定義付けを行う。また、図８に示すように各伝送路の定義付けには、伝送装置の始点と終点の局だけでなく、伝送路ごとに使用する伝送路パッケ−ジポ−トの割り当ても個々に定義付けする。伝送路パッケ−ジポ−トの定義付けにより、一の伝送路が選択された場合の伝送装置内の具体的スイッチ設定が決定されることとなる。
【００４４】
例えば、図８において伝送路１は、伝送装置Ａ局から伝送装置Ｂ局への伝送路であって、この伝送路１にＡ局はポ−ト９端子を利用し、Ｂ局はポ−ト８端子を利用する。この定義付けにより、伝送路１を使用する場合に、Ａ局はＢ局との通信経路確立にポ−ト９端子を、Ｂ局はポ−ト８端子を利用して通信できるよう、Ａ局、Ｂ局内のＳＳＷとＴＳＷがそれぞれスイッチ設定されることとなる。
【００４５】
また、図７や図８に示す伝送路の定義付けは、パソコン等の演算処理装置に記憶することが好ましい。この演算処理装置は、伝送装置に接続することで必要なスイッチ設定の制御命令を一括して送信することが可能となる。
次に、図９に示すパスル−トの設定構成例について説明する。図９においては、電話機９０と電話機９１が、それぞれ伝送装置Ｃ局９２と伝送装置Ｇ局９３に接続される。従って、伝送装置Ｃ局９２と伝送装置Ｇ局９３との間で、パスル−トを設定する。
【００４６】
パスル−トは、図１０に三つのパスル−ト例を示す。パスル−ト１は、伝送路１９−伝送路２０−伝送路１４−伝送路１５にて、伝送装置Ｃ局９２から伝送装置Ｇ局９３へと接続する。また、各伝送路には、伝送装置Ｃ局９２から順に通し番号が付されることで、通し番号順に各伝送路を経由して、伝送装置Ｃ局９２から伝送装置Ｇ局９３へと通信経路が確保される。
【００４７】
また、パスル−ト２は、伝送路３−伝送路４−伝送路５にて、伝送装置Ｃ局９２から伝送装置Ｇ局９３へと接続する。また、各伝送路には、伝送装置Ｃ局９２から順に通し番号が付されることで、通し番号順に各伝送路を経由して、伝送装置Ｃ局９２から伝送装置Ｇ局９３へと通信経路が確保される。
また、パスル−ト３は、伝送路１９−伝送路８−伝送路１２−伝送路１５にて、伝送装置Ｃ局９２から伝送装置Ｇ局９３へと接続する。また、各伝送路には、伝送装置Ｃ局９２から順に通し番号が付されることで、通し番号順に各伝送路を経由して、伝送装置Ｃ局９２から伝送装置Ｇ局９３へと通信経路が確保される。
【００４８】
ここでは、三つのパスル−ト例を示したが、その他のパスル−トであってもよくパスル−トは幾つ設定してもよい。複雑なネットワ−ク構成では、多数のパスル−トを設定可能である。また、多くのパスル−トが設定されるほど様々なパスル−トのバリエ−ションが可能となるので、様々な不測事態にも対応可能となる。
また、パスル−トごとにその特徴を関連付けて記憶しておくことで、パスル−トの選択の際に速やかに、通信に必要な特性に合致するパスル−トを選択することが可能となる。例えば、パスル−ト１は通信速度が極めて速い、パスル−ト２は通信速度は並だが他と別異の独自ル−トをたどる、パスル−ト３は一部のル−トがパスル−ト１と重複するが将来端末パッケ−ジが増設される予定の伝送装置を経由する、等の特徴を記載する。
【００４９】
これにより、パスル−ト１の使用時に障害が発生し障害発生箇所が不明な場合は、パスル−ト２に切り替えて通信を確実に確保することができる。また、パスル−ト１の保守メンテナンス時に、パスル−ト３に切り替えておくことで将来の端末増設に備えることも容易に可能となる。
一方、実際のネットワ−ク構成では、技術の進歩に伴いネットワ−クシステムの構成自体の信頼性も格段に向上していることから、通常、二〜三程度のパスル−トを異なる伝送路を経由するように設定することが好ましい。不必要に多数のパスル−トを設定し保有しても、使用することが皆無であれば無駄となるからである。ただし、ネットワ−クシステムに要求される特性によっては、伝送装置各局の増設や減設を行ったり、メンテナンス等の敷設工事を行ったりして、頻繁にパスル−トの変更が必要となる場合も想定される。このような場合には、必要と見込まれるだけの多数のパスル−トを設定しておくことが好ましい。なお、二のパスル−トを設定し、一を主ル−トとし他の一を予備ル−トとした場合では、主ル−トか予備ル−トかの二者択一となるので、ル−ト設定選択が最も単純かつ容易なので好ましい。
【００５０】
このように、予め利用する複数のパスル−トを定義しておくことで、パスル−トを変更する必要が生じた場合の変更処理は、パスル−ト番号１〜３の選択のみで可能となる。従って、パスル−ト変更時の設定変更処理が格段に容易かつ迅速に行える。なお、伝送路定義付けデ−タとパスル−トデ−タは、パソコン等の演算処理装置に保持しておき、ネットワ−クと接続するシステム構成とする。これにより、パソコンで一のパスル−トを選択することで、自動的にそのパスル−トに利用する伝送装置とポ−トが検索され読み出され、伝送順に伝送装置のポ−トに対応する各スイッチを設定処理することが可能となる。
【００５１】
次に、図１１を用いて、当初の通信経路を設定する際の手順について説明する。この前提として、図１０で説明したパスル−ト１〜３が予め定義されている。図１１の伝送装置Ｃ局１１１と伝送装置Ｇ局１１２とで、中継局Ｂ局１１３、Ａ局１１４、Ｄ局１１５を経由して通信を確立する手順である。まず、パソコン等の演算処理装置において、予め伝送路定義デ−タとパスル−ト定義を設定する。そして、始点として伝送装置Ｃ局１１１の端末パッケ−ジを選択する（操作回数１）。次に、終点として伝送装置Ｇ局１１２の端末パッケ−ジを選択する（操作回数２）。続いて、パスル−ト１（１１６）を選択する（操作回数３）。これにより、実際の設定デ−タを自動的に作成する（操作回数４）。
【００５２】
操作回数４における設定デ−タの作成作業を比較して図１２に示す。すなわち、パスル−ト１（１１６）のパスル−トデ−タから、そのパスル−トとして予め決定された中継局Ｂ局１１３、Ａ局１１４、Ｄ局１１５と、割り当て使用する伝送路パッケ−ジポ−トを検索し、パス設定デ−タに対して経由するＳＷ部の検索とＳＷ部デ−タ作成を、順に自動で行うことができる。
【００５３】
すなわち、従来、手動で行っていた伝送装置Ｃ局１１１のＳＳＷ設定デ−タ作成（操作３）、伝送装置Ｃ局１１１の伝送路（ポ−ト８）ＴＳＷ設定デ−タ作成（操作４）。また、中継局Ｂ局１１３の伝送路（ポ−ト９）ＴＳＷ設定デ−タ作成（操作５）、中継局Ｂ局１１３のＳＳＷデ−タ作成（操作６）、中継局Ｂ局１１３の伝送路（ポ−ト８）ＴＳＷ設定デ−タ作成（操作７）。また、中継局Ａ局１１４の伝送路（ポ−ト９）ＴＳＷ設定デ−タ作成（操作８）、中継局Ａ局１１４のＳＳＷデ−タ作成（操作９）、中継局Ａ局１１４の伝送路（ポ−ト８）ＴＳＷ設定デ−タ作成（操作１０）。また、中継局Ｄ局１１５の伝送路（ポ−ト９）ＴＳＷ設定デ−タ作成（操作１１）、中継局Ｄ局１１５のＳＳＷデ−タ作成（操作１２）、中継局Ｄ局１１５の伝送路（ポ−ト８）ＴＳＷ設定デ−タ作成（操作１３）。また、伝送装置Ｇ局１１２の伝送路（９）ＴＳＷデ−タ作成（操作１４）、伝送装置Ｇ局１１２のＳＳＷデ−タ作成の各操作が、全て自動的に一括処理にてデ−タ作成可能となる。
【００５４】
図１７には、この実施形態にかかるパス設定のための事前準備のフロ−チャ−ト例を示す。
（ステップ１７０）まず、通信ネットワ−クシステムが構築されていることが前提となる。通信ネットワ−クシステムは、複数の伝送装置（中継器、端末パッケ−ジ、ＳＷ含む）と複数の伝送路から構成される。このネットワ−クは、オ−プンリングやリング構成の単純なものだけでなく、マトリックス状、メッシュ状、三次元マトリックス状、その他の複雑なネットワ−ク網をも含んでいてもよい。伝送路は、電気通信回線だけでなくＬＡＮ、光回線、電源通信回線等及び無線回線を含むものであってもよい。
【００５５】
また、ネットワ−クに接続された演算処理装置として、記憶装置を含むパソコン等がネットワ−クシステムには必要である。このようなネットワ−ク網が構築されている場合は、次のステップ１７１に進む。
（ステップ１７１）各伝送装置間の伝送路について、伝送路定義デ−タを作成する。伝送路定義デ−タは、伝送装置から他の伝送装置への伝送方向を確定し、使用するポ−トを決定し、伝送路に識別番号を付与する。伝送路定義は、ネットワ−クシステム内全ての伝送路について定義することが好ましい。これは、後のパスル−ト構成時に伝送路の選択の幅を広げるからである。
【００５６】
しかし、伝送路の中には故障等で物理的に非接続のものや、まだ使用不可であったり、敷設中であったりする場合もある。従って、現在使用可能な伝送路のみを定義してもよい。また、将来利用可能となる伝送路は、利用可能日以降の使用との条件付きで伝送路定義デ−タを作成してもよい。伝送路定義デ−タが作成できれば、次のステップ１７２に進む。
【００５７】
（ステップ１７２）次に、通信を行う端末パッケ−ジを選択し、決定する。通信は、端末パッケ−ジ間で確立できるように通信ル−トを確保するので、端末パッケ−ジの位置が決まらなければ、具体的なパスル−トの候補を決定できないからである。ただし、すべての伝送装置間同士において通信する可能性のある場合、すなわち、どの伝送装置に端末パッケ−ジが配設されるか不明であり、あるいはまた、どの伝送装置に端末パッケ−ジが配設された場合においても、通信を確保したい場合には、次のステップ１７３で、全ての伝送装置間に対してパスル−トを設定することとしてもよい。
【００５８】
（ステップ１７３）原則として、決定した二の端末パッケ−ジにかかる伝送装置間で、複数のパスル−トを設定する。いずれを主ル−トとし、予備ル−トを幾つ作成するかは任意である。パスル−トは、一の端末パッケ−ジから順に伝送路ごとに通し番号を付与し、通し番号ごとに使用する伝送路識別記号を記載し、他の一の端末パッケ−ジに至るまでのル−ト記載する。このようにパスル−トを複数ル−ト作成して、パスル−ト番号を付与して一覧表とし、これをパスル−トデ−タとする。
【００５９】
（ステップ１７４）作成した伝送路定義デ−タとパスル−トデ−タは、パソコン等の伝送装置のＳＷ制御装置にある記憶装置に保存する。これにより、後日、実際にパスを設定する際には、通信する端末パッケ−ジ間に対応するパスル−ト一覧の中から一のパスル−ト番号を選択することで、そのパスに使用する伝送装置や伝送路やポ−トが、記憶装置から読み出される。そして、読み出されたデ−タに従って、使用する伝送路やポ−トとなるように、各伝送装置のＳＷの設定デ−タが作成される。
【００６０】
次に、図１８に示す初期のパスル−ト設定動作について説明する。この前提として、図１７に示した事前準備により伝送路定義デ−タとパスル−トデ−タが作成され、演算処理装置に保存されていることが必要である。
（ステップ１８０）通信を行う始点として、一の端末パッケ−ジを選択する。始点が確定していれば、ステップ１８１へ進む。
【００６１】
（ステップ１８１）通信を行う終点として、一の端末パッケ−ジを選択する。終点が確定していれば、ステップ１８２へ進む。
（ステップ１８２）確定した始点と終点となる端末パッケ−ジに対応するパスル−トの一覧が表示される。すなわち、記憶装置に記憶された複数のパスル−トデ−タから、確定した始点と終点と同一の始点と終点を有するパスル−トデ−タ及び、確定した始点と終点を経路パスル−ト中に包含するパスル−トを一覧として表示してもよい。ここで、始点と終点は、伝送装置識別記号とすることができる。
【００６２】
また、始点と終点を包含するパスル−トの場合、ベクトルの向きが異なれば、たとえ、形式的に始点と終点を包含するパスル−トであっても利用できないことに留意して表示処理を行う。すなわち、始点から終点へと向かうパスル−トの選定工程においては、終点から始点に向かう逆向きのパスル−トは、別途処理を行うこととなるからである。パスル−ト一覧が表示されれば、次のステップ１８３に進む。
【００６３】
（ステップ１８３）一覧表示されたパスル−トの中から、目的とする通信特性に合致する一のパスル−トを選択する。従って、パスル−トの一覧表示時に、パスル−トごとにそのパスル−トの特徴を記載したコメント等を関連付けて表示するようにしてもよい。このようなコメントは、パスル−トの選択時に参照されることで的確で最適かつ迅速な選定作業を容易に実現する。例えば、表示コメントは通信速度の速い遅い、経路の安全性、通信経路の新旧、経由伝送装置の特性、通信密度の濃淡、伝送距離等であってもよい。パスル−トの選択は、付与されたパスル−ト番号を選択することで行うことができ、次のステップ１８４に進む。
【００６４】
（ステップ１８４）パスル−トが決定されるとは、そのパスル−トとして予め定義されているル−ト上の伝送装置、及び各伝送装置のポ−ト番号の確定を意味する。すなわち、パスル−ト番号の決定により、使用する経路とその経路上の伝送装置とその伝送装置のポ−ト番号とその順序が確定されるため、この構成をとるためのＳＷ構成が決定できることとなる。このための演算処理は、パソコン等の演算装置で行う。なお、ＳＷ部はＳＳＷパッケ−ジとＴＳＷパッケ−ジの両ＳＷを包含する。ＳＷ設定デ−タが作成できれば、ステップ１８５へと進む。
【００６５】
（ステップ１８５）演算装置は、ステップ１８４で作成したＳＷ設定デ−タをネットワ−ク網へ送信する。通常、パソコン等の演算装置は、通信ネットワ−クシステムの一部に含まれ、ネットワ−クの所定の位置に接続される。従って、この演算装置から関係する各伝送装置へとＳＷ設定の指令を出力する。指令を受信した伝送装置は、ネットワ−クパスの順に、指令に従いＳＷ部を制御し設定する。このため、各伝送装置は、自らのＳＷ部を制御するＳＷ制御装置を各々保有する。
【００６６】
（ステップ１８６）ネットワ−クパスの順に対応する伝送装置で、ＳＷ設定を指令に従って行う。すなわち、選択されたパスル−トが、例えば図１０における伝送路３−伝送路４−伝送路５からなるパスル−ト２である場合、伝送装置Ｃ局９２、中継局Ｆ局、中継局Ｈ局、伝送装置Ｇ局９３の順に、各伝送装置のＳＷ部が設定される。
すなわち、この実施形態では、予め全ての伝送路について定義付けをし、その伝送路定義を利用して予め複数のパスル−トを設定しておく。従って、実際のパス設定や変更時はパスル−トの選択のみの操作で、自動的に選択されたパスル−トに利用する各伝送装置や中継局や使用ポ−トが検索され読み出され、自動的にＳＷ設定デ−タが作成されることとなる。このため、通信経路が変更される際でもパスル−トの番号選択のみで経路変更デ−タの作成が可能となり、個別に逐一通信経路をたどって検討し、伝送装置ごとに通信経路に対応した各スイッチの設定デ−タを手動で設定する必要はない。よって、設定ミスを低減し、迅速で正確なパスル−トの設定が行える。
【００６７】
また、パスル−トを主経路と予備経路の二のパスル−トのみとして設定する場合には、主経路による通信に不具合が発生した場合には、自動的に予備経路に変更する設定とすることも可能となる。
（実施形態２）
次に、中継局を増設する場合のパスル−ト設定操作について、図１３と図１４を用いて説明する。図１３に示すのは、中継局として伝送装置Ｉ局１３１を増設する場合のパスル−ト図である。また、図１４に示すのは、増設時のパス再構築手順図である。
【００６８】
図１３において、中継局Ｈ局１３０と中継局Ｇ局１３２との間に、新たな中継局Ｉ局１３１を増設する。増設された中継局Ｉ局１３１は、中継局Ｈ局１３０へポ−ト８を使用して新たな伝送路２２にて通信する。また、増設された中継局Ｉ局１３１は、中継局Ｇ局１３２へポ−ト９を使用して新たな伝送路２１にて通信する。また、増設前に中継局Ｈ局１３０から中継局Ｇ局１３２へと出力する伝送路５は、そのまま中継局Ｈ局１３０から新たに増設した中継局Ｉ局１３１へ出力する伝送路５として利用する。また、増設前に中継局Ｇ局１３２から中継局Ｈ局１３０へと出力する伝送路１６は、そのまま中継局Ｇ局１３２から新たに増設した中継局Ｉ局１３１へ出力する伝送路１６として利用する。
【００６９】
従って、伝送路の定義デ−タは以下のように変更することとなる。すなわち、増設前の伝送路５は、中継局Ｈ局１３０のポ−ト９−中継局Ｇ局１３２のポ−ト８である。増設後の伝送路５は、中継局Ｈ局１３０のポ−ト９−中継局Ｉ局１３１のポ−ト８となる。また、中継局Ｉ局１３１のポ−ト９−中継局Ｇ局１３２のポ−ト８を、新たな伝送路２１として定義する。これにより、増設前の中継局Ｈ１３０から中継局Ｇ局１３２への伝送経路が、増設後の中継局Ｉ局１３１を経由した、中継局Ｈ１３０−中継局Ｉ局１３１−中継局Ｇ局１３２の新たな経路として定義できることとなる。
【００７０】
また、増設前の伝送路１６は、中継局Ｇ局１３２のポ−ト８−中継局Ｈ局１３０のポ−ト９である。増設後の伝送路１６は、中継局Ｇ局１３２のポ−ト８−中継局Ｉ局１３１のポ−ト９となる。また、中継局Ｉ局１３１のポ−ト８−中継局Ｈ局１３０のポ−ト９を、新たな伝送路２２として定義する。これにより、増設前の中継局Ｇ局１３２から中継局Ｈ局１３０への伝送経路が、増設後の中継局Ｉ局１３１を経由した、中継局Ｇ１３２−中継局Ｉ局１３１−中継局Ｈ局１３０の新たな経路として定義できることとなる。
【００７１】
これに伴い、パスル−ト２（１３４）のデ−タも以下のように変更する。すなわち、増設前のパスル−ト２（１３４）は、伝送路３−伝送路４−伝送路５である。一方、増設後のパスル−ト２（１３４）は、伝送路３−伝送路４−伝送路５−伝送路２１となる。つまり、形式的には増設前の伝送路５が、増設により伝送路５と伝送路２１とに分割されたように変更することとなる。これは、前述のように伝送装置Ｈ局１３０−Ｇ局１３２間が、増設により伝送路５の一伝送路から伝送路５と伝送路２１の二伝送路を要することとなったことに対応する。
【００７２】
この場合のパス設定デ−タの再構築手順は、図１４において示すように操作回数２回で済む。すなわち、パソコン等の演算処理にて、パス変更を選択する（操作回数１）。次に、再設定操作としてパスル−ト２（１３４）のパスル−トデ−タから中継局Ｆ局１３３、Ｈ局１３０、Ｉ局１３１を検索し、構成される伝送路パッケ−ジポ−トを検索し、パス設定デ−タに対して経由するポ−トやＳＷ部の検索とＳＷ部のデ−タ作成を自動で行う（操作回数２）。なお、演算処理装置は、ネットワ−クシステムに接続されており、上述の作成したＳＷ部の設定デ−タをＳＷ部制御信号として、各伝送装置に順次指令する。
【００７３】
すなわち、この実施形態では、予め全ての伝送路について定義付けし、その伝送路定義を利用して複数のパスル−トを設定しておくことで、パス設定変更増設時は、対応する増設箇所の前後の中継器との関係伝送路定義付けとパスル−トデ−タ変更のみで、自動的に各伝送装置や中継局やそのＳＷ設定デ−タが作成されることとなる。このため、通信経路が変更される際でも経路変更デ−タの作成が可能となり、個別に逐一全通信経路を検討し、伝送装置ごとに通信経路に対応した各スイッチの設定デ−タを手動で設定する必要はない。よって、設定ミスを低減し、迅速で正確なパスル−トの設定が行える。なお、この場合のパスル−トデ−タの変更は、一の伝送路５を二の伝送路５と伝送路２１に変更するのみで極めて容易である。
（実施形態３）
次に、中継局を減設する場合のパスル−ト設定操作について、図１５と図１６を用いて説明する。図１５に示すのは、中継局として伝送装置Ｆ局１５０を減設する場合のパスル−ト図である。また、図１６に示すのは、減設時のパス再構築手順図である。
【００７４】
図１５において、減設局Ｆ局１５０は伝送装置Ｃ局１５２と伝送装置Ｈ局１５１との間に設置されている。減設によって、伝送路のデ−タを以下のように変更する。すなわち、減設前の伝送路３は、伝送装置Ｃ局１５２のポ−ト９−伝送装置Ｆ局１５０のポ−ト８である。また、減設前の伝送路４は、伝送装置Ｆ局１５０のポ−ト９−伝送装置Ｈ局１５１のポ−ト８である。一方、減設後の伝送路は、伝送装置Ｆ局１５０の消滅により、伝送装置Ｃ局１５２のポ−ト９−伝送装置Ｈ局１５１のポ−ト８へと直結されることとなり、これが新たな伝送路３として定義され、伝送路４は消滅する。
【００７５】
また、減設前の伝送路１７は、伝送装置Ｈ局１５１のポ−ト８−伝送装置Ｆ局１５０のポ−ト９である。また、減設前の伝送路１８は、伝送装置Ｆ局１５０のポ−ト８−伝送装置Ｃ局１５２のポ−ト９である。一方、減設後の伝送路は、伝送装置Ｆ局１５０の消滅により、伝送装置Ｈ局１５１のポ−ト８−伝送装置Ｃ局１５２のポ−ト９へと直結されることとなり、これが新たな伝送路１７として定義され、伝送路１８は消滅する。
【００７６】
すなわち、伝送路定義デ−タは、新たに伝送路３が、伝送装置Ｃ局１５２のポ−ト９−伝送装置Ｈ局１５１のポ−ト８と定義され、伝送路４は削除処理する。また、伝送路定義デ−タは、新たに伝送路１７が、伝送装置Ｈ局１５１のポ−ト８−伝送装置Ｃ局１５２のポ−ト９と定義され、伝送路１８は削除処理する。
また、伝送装置Ｆ局１５０の減設に伴い、パスル−トデ−タは以下のように変更する。すなわち、減設前のパスル−ト２（１５４）は、伝送路３−伝送路４−伝送路５である。一方、減設後のパスル−ト２（１５４）は、伝送路３−伝送路５となる。つまり、形式的には、二の伝送路３と伝送路４とが併合され、一の伝送路３として新たに定義されたこととなる。
【００７７】
この場合のパス設定デ−タの再構築手順は、図１６に示すように操作回数２回で済む。すなわち、パソコン等の演算処理装置でパス変更を選択する（操作回数１）。次に、パスル−ト再設定操作として、始点伝送装置Ｃ局１５２と終点伝送装置Ｇ局１５３との間で、パスル−ト２（１５４）のパスル−トデ−タから、中継局Ｈ局１５１を検索し、構成される伝送路パッケ−ジポ−トを検索する。また、パス設定デ−タに対して経由するＳＷ部の検索及びＳＷ部デ−タ作成を自動で行う（操作回数２回）。なお、演算処理装置は、ネットワ−クシステムに接続されており、上述の作成したＳＷ部の設定デ−タをＳＷ部制御信号として、各伝送装置に順次指令する。
【００７８】
すなわち、この実施形態では、予め全ての伝送路について定義付けし、その伝送路定義を利用して複数のパスル−トを設定しておくことで、パス設定変更減設時は、対応する減設箇所の前後の中継器との関係伝送路定義付けとパスル−トデ−タ変更のみで、自動的に各伝送装置や中継局やそのＳＷ設定デ−タが作成されることとなる。このため、通信経路が変更される際でも経路変更デ−タの作成が可能となり、個別に逐一通信経路を検討し、伝送装置ごとに通信経路に対応した各スイッチの設定デ−タを手動で設定する必要はない。よって、設定ミスを低減し、迅速で正確なパスル−トの設定が行える。なお、この場合のパスル−トデ−タの変更は、二の伝送路３と伝送路４を一の伝送路３に変更するのみで極めて容易である。
【００７９】
ここで、図１９を用いて中継局の増減設があった場合の処理フロ−について説明する。
（ステップ１９０）まず、増減設する中継器や伝送装置の位置関係を特定し、認識することが必要となる。この実施形態においては、増減設にかかる中継器等と、増減設にかかる中継器等と通信を新たに行い又は通信を行わなくなる既存の伝送装置等と、の関係において更新処理を行えば足り、その他の部分にかかる伝送路やパスル−トについては一切の変更や更新をする必要がない。位置が決定していない場合や未だ検討中である場合は、具体的な伝送路やパスル−トの変更更新作業はできないので、開始に戻る。
【００８０】
（ステップ１９１）増減設にかかる中継器等を経由する、又は経由していた伝送路があるかどうかを確認し、把握する。この伝送路が存在しなければ、増減設にかかる中継器等は、通信経路になんらの影響をもたらすことはない。従って、伝送路がない場合はここで終了する。伝送路があれば、次のステップ１９２に進む。
（ステップ１９２）ステップ１９１で把握した伝送路にかかる伝送装置と、増減設にかかる中継器等との間で、伝送路定義デ−タの更新を行う。具体的な更新内容は、既に説明したのでここでは省略する。従来のように、全ての伝送路について見直し作業を行う必要はなく、関係する伝送路についてのみ変更更新をすればよいので、作業量が少なくて済み、操作ミスや設定ミス等の低減につながる。また、迅速な変更処理を安全かつ確実に行うことが可能となる。伝送路定義デ−タの更新ができれば、次にステップ１９３に進む。
【００８１】
（ステップ１９３）増減設にかかるパスル−トの有無を判断する。伝送路があっても、その伝送路を利用するパスル−トが存在しなければ、パスル−トデ−タへの新たな変更は不要であるので、ここで終了する。パスル−トがあれば、ステップ１９４に進む。
（ステップ１９４）パスル−トデ−タの更新を行う。具体的な更新内容とその方法は、既に説明したのでここでは省略する。この実施形態においては、ステップ１９２で更新した伝送路に関する箇所についてのみ、パスル−トを変更し、更新設定すればよいので、作業量を低減でき、設定ミス等の更新時の不具合も低減することができる。
【００８２】
（補足）
これらの実施形態にかかる通信ネットワ−クシステム制御装置は、複数のスイッチ部から構成される伝送装置と、各伝送装置間を通信可能に接続する伝送路と、から構成される通信ネットワ−クシステムに接続され、伝送路ごとに、接続する二の伝送装置とその使用ポ−トとを通信方向を加味して関連付けて作成した伝送路定義デ−タを記憶する記憶装置を備える。
【００８３】
これにより、各伝送路の内容と性質が確定し明らかになり、伝送路を一括して伝送路定義デ−タとして管理することができる。また、伝送路定義デ−タを一覧表として表示し、その中から適宜伝送路を選択することで、パスル−トを構築することも可能となる。伝送路定義デ−タにより、各伝送装置間で経路を検討する際に、経路の構築要素として、採用可能な伝送路が明確となるだけでなく、割り当てられたポ−トによって伝送装置内のＳＷ設定の情報をも含むデ−タとなるので、有効な伝送路のデ−タ管理が行える。
【００８４】
また、これらの実施形態にかかる通信ネットワ−クシステム制御装置は、好ましくは記憶装置が、伝送路定義デ−タの複数の伝送路を通信方向の順に構成することで作成した複数のパスル−トからなるパスル−トデ−タ、を記憶する。
これにより、伝送装置間での経路再設定時や経路変更時等に、経路を逐一検討する手間を省き、経路ミスの発生を防止できる。すなわち、予め確定した伝送路にもとづき予めパスル−トが確定していることから、ここで記憶された伝送路定義デ−タに存在しない伝送路やパスル−トデ−タにないパスル−トは、通信経路を構築することはないからである。
【００８５】
また、これらの実施形態にかかる通信ネットワ−クシステム制御装置は、好ましくは複数のスイッチ部が、伝送路パッケ−ジとＳＳＷパッケ−ジとから構成され、複数のパスル−トが、通信を行う端末パッケ−ジ間で通信方向ごとに複数作成される。
従って、伝送装置内をコネクトやクロスコネクトを含めたスイッチ制御により、階層的で重畳的な経路構築とすることも可能となる。さらに、ある一の通信に対して、常に複数のパスル−トが予備的に設けられることとなり、通信の安全な確保に資する。すなわち、仮に一の通信経路に使えない状況が生じても、速やかに他の予備の通信経路に切り替えることも可能となるので、端末パッケ−ジ間で不測の事態が生じても、安定的に通信を確保することができる。
【００８６】
なお、複数のパスル−トは、経由する伝送路や伝送装置を可能な限り異なるようにして複数作成することが好ましい。すなわち、通信の障害が、いかなる箇所にいかなる理由で発生したとしても、パスル−トを他のパスル−トに変更することで、確実にその通信障害を回避して、通信を確保できることとなるからである。
また、現在使用不可能でも将来的に使用可能となる伝送路やパスル−トは、効力発生時期を設定した停止条件付き伝送路又はパスル−トとして、制御装置に記憶させておいてもよい。逆に、現在使用可能でも将来的に使用不可能となる伝送路やパスル−トは、効力消滅期限（又は有効期限）を設定した解除条件付き伝送路又はパスル−トとして、制御装置に記憶させておいてもよい。
【００８７】
また、伝送路定義デ−タは、伝送路ごとにその伝送路の特徴や性質を付しておくことが好ましい。伝送路の特徴や性質とは、例えば、敷設年月日等の新旧、通信速度、回線の混み具合、故障の履歴、増設減設等変更の可能性や時期、使用部品やそのメ−カ、通信エラ−頻度とエラ−率等であってもよい。これにより、伝送路の選択やメンテナンス時に、その情報を参照することで、より的確な処理を行える。
【００８８】
また、パスル−トデ−タは、パスル−トごとにそのパスル−トの特徴や性質を付しておくことが好ましい。パスル−トの特徴や性質とは、例えば、設定年月日等の新旧、通信速度、回線の混み具合、故障の履歴、増設減設等変更の可能性や時期、使用部品やそのメ−カ、通信エラ−頻度とエラ−率、経由する伝送路数、経由する伝送装置数、経由する伝送装置の種類や特性等であってもよい。これにより、パスル−トの選択やメンテナンス時に、その情報を参照することで、より的確な処理を行える。
【００８９】
また、これらの実施形態にかかる通信ネットワ−クシステム制御装置は、好ましくはパスル−トデ−タから一のパスル−トが選択された際に、選択された一のパスル−トを構築できるように、伝送装置のスイッチ部を制御し設定する指令を伝送装置に出力する。
これにより、選択されたパスル−トを確実に構築できる。パスル−トの構築作業は、実際の伝送装置レベルでは、伝送装置内のパス設定、典型的には伝送装置内のスイッチを切り替え制御し、設定することで行うことができる。このスイッチの設定指令を、通信ネットワ−クシステム制御装置が作成して出力するので、伝送装置ごとに個々に手作業でスイッチ制御デ−タを作成する必要が無く、人為的ミスも防止できる。
【００９０】
また、通信ネットワ−クシステム制御装置においても、パスル−トと紐付けられた伝送装置とその使用ポ−トをデ−タとして保持しておけば、ポ−トと伝送装置と伝送路の関係から経路順にスイッチ部の設定デ−タを容易に作成できることとなる。このため、迅速で再現性のある確実な信頼性の高いパスル−トの構築が可能となる。
また、これらの実施形態にかかる通信ネットワ−クシステムのパス設定方法は、複数の伝送装置と、複数の伝送路と、演算処理装置と、から構成される通信ネットワ−クシステムであって、伝送装置が、複数のＳＷ部から構成されるとともにＳＷ部を制御するＳＷ制御装置を備え、演算処理装置が、伝送装置間の伝送路を各々分別して定義する伝送路定義デ−タと、複数の伝送路で構成される複数のパスル−トと、を記憶する記憶装置を備え、伝送装置間の通信経路の設定を、複数のパスル−トの中から一のパスル−トを選択することで、自動的に設定する。
【００９１】
これにより、通信経路を変更や設定する時に行う人為的な操作は、パスル−トの選択のみとなり、迅速で的確な所望のパス設定をすることができる。
また、これらの実施形態にかかる通信ネットワ−クシステムのパス設定方法は、好ましくは伝送装置間の通信経路の設定が、伝送装置のＳＷ制御装置による複数のＳＷ部の制御により設定される。
【００９２】
これにより、例えばＳＳＷやＴＳＷから構成されるＳＷ部が、伝送装置のＳＷ制御装置によって設定される。また、ＳＷ制御の具体的内容は、通信ネットワ−クシステムに接続される演算処理装置から指令されることとなり、全通信経路にわたって一括でかつ一元化された管理の下で、統制のとれた全体バランスのよいパス設定とすることが可能となる。
また、これらの実施形態にかかる通信ネットワ−クシステムのパス設定方法は、好ましくは伝送装置間の通信経路の設定が、異なる伝送装置に配設された端末パッケ−ジ間の通信経路の設定である。
【００９３】
これにより、異なる伝送装置間でそれぞれに端末パッケ−ジが配設され、端末パッケ−ジに、例えば電話機やファクシミリや情報処理機器が接続されている場合、電話機等同士の間で、容易にパス設定することで通信回線の確保ができる。異なる伝送装置間は、長距離であっても、短距離であっても問題はない。少なくとも、一又は複数の伝送路を介して到達することが可能な、伝送装置間であれば適用可能である。
【００９４】
なお、伝送路とは、好ましくは電話回線等の物理的配線が施されていることによる伝送路であってよい。しかし、その他無線回線等であってもよく、情報を伝送できる路又は／及び情報を伝送する能力や可能性を有する路、という意味に於ける伝送路であればよい。このため、ある経路が伝送路と言えるかどうかは、その経路を介して情報伝達を行う送受信機器に依存するものであってもよい。
【００９５】
また、これらの実施形態にかかる通信ネットワ−クシステムは、複数の伝送装置により構成される通信ネットワ−クシステムであって、通信を行う伝送経路を伝送装置間ごとに分断して固有の伝送路として定義付けした伝送路定義デ−タと、固有の伝送路を、通信を行う始点と終点間で伝送経路の経路順に構築した複数のパスル−トとを、デ−タベ−スとして備える演算記憶処理装置を備え、演算記憶処理装置は、複数のパスル−トから一のパスル−トを選択することで、選択した一のパスル−トに含まれる伝送装置の通信設定を伝送路定義デ−タに従って自動的に行う。
【００９６】
従って、通信を行う始点と終点間で情報が伝達される経路は、中継器等の伝送装置間ごとに固有の伝送路として認識され定義される。始点とは、例えば電話機等が接続された端末パッケ−ジであり、終点とは、例えば他の電話機等が接続された端末パッケ−ジである。これにより、始点と終点間で情報伝達経路を一パスル−トとして、全体として把握し認識するだけでは得られなかった知見に基づいて、他のパスル−トを設定したり、予備のパスル−トを構築したりしておくことが可能になる。
【００９７】
すなわち、一のパスル−トは、その構成要素たる伝送路を複数個ベクトル和することにより、完成されることとなる。そして、各伝送路は、個々毎に、接続する伝送装置が異なり、伝送距離も異なるなど、性質が異なるという特徴を有する。そしてその異なる性質の伝送路の所定の集合体がパスル−トとなることから、結局あるパスル−トの性質は、その構成要素たる伝送路で決定づけられるということもできる。すなわち、伝送路ごとに分断して認識し、それをパスル−トの一構成要素としてデ−タ化することで、所望の性質の伝送路を選択して所望のパスル−トを構築するというパスル−ト設計が、格段に容易に迅速かつ的確になし得ることとなる。
【００９８】
また、これらの実施形態にかかる通信ネットワ−クシステムは、好ましくは伝送路定義デ−タが、伝送路の始点の伝送装置と始点の伝送装置が伝送路に使用するポ−トと、伝送路の終点の伝送装置と終点の伝送装置が伝送路に使用するポ−トと、から構成される。
これにより、伝送路の定義がパス設定デ−タを作成できる程度にまで詳細に、かつ具体的に成されることとなる。すなわち、伝送路とその伝送路を利用する際の両端の伝送装置におけるパス設定が、直接的かつ一義的に関連付けられることとなり好ましい。
【００９９】
また、これらの実施形態にかかる通信ネットワ−クシステムは、好ましくは演算記憶処理装置が、伝送装置の増設時に、増設にかかる新たな伝送装置と、増設にかかる新たな伝送装置と伝送路で直接に接続される伝送装置と、の間の伝送路についてのみ伝送路定義デ−タの更新を行う。
これにより、伝送装置の増設時においても、極めて少ない限定されたデ−タの更新で対応可能となる。
【０１００】
また、これらの実施形態にかかる通信ネットワ−クシステムは、好ましくは演算記憶処理装置が、伝送装置の増設時に、複数のパスル−トのうち、増設にかかる新たな伝送装置が増設される箇所をパスル−トの一部又は全部として包含するパスル−トについてのみパスル−トのデ−タ更新を行う。
これにより、伝送装置の増設時においても、極めて少ない限定されたデ−タの更新で対応可能となる。したがって、迅速な増設対応が可能となる。また、増設される伝送装置は、一の伝送装置と他の一の伝送装置との間の伝送路上に割り込む形式で増設されることが好ましい。この場合には、これらの実施形態を好適に適用することができる。
【０１０１】
また、既存の伝送路上への増設ではなく、伝送路の存在しない箇所に別個に新たな伝送装置の増設を行う場合には、増設にかかる伝送装置と既存の伝送装置との間で生じる新たな伝送路を定義し、伝送路定義デ−タに加えることとしてもよい。さらに、新たに定義した伝送路を利用する新たなパスル−トを構築し、パスル−トデ−タに加えることもできる。
【０１０２】
また、これらの実施形態にかかる通信ネットワ−クシステムは、好ましくは演算記憶処理装置が、伝送装置の減設時に、減設にかかる伝送装置と、減設にかかる伝送装置と伝送路で直接に接続されていた伝送装置と、の間の伝送路についてのみ伝送路定義デ−タの更新を行う。
これにより、伝送装置の減設時においても、極めて少ない限定されたデ−タの更新で対応可能となる。
【０１０３】
また、これらの実施形態にかかる通信ネットワ−クシステムは、好ましくは演算記憶処理装置が、伝送装置の減設時に、複数のパスル−トのうち、減設にかかる伝送装置が位置する箇所をパスル−トの一部又は全部として包含するパスル−トについてのみパスル−トのデ−タ更新を行う。
これにより、伝送装置の減設時においても、極めて少ない限定されたデ−タの更新で対応可能となる。したがって、迅速な減設対応が可能となる。また、減設される伝送装置は、一の伝送装置と他の一の伝送装置との間の一の伝送路上に配置されるものが減設されることが好ましい。この場合には、これらの実施形態を好適に適用することができる。
【０１０４】
また、既存の一の伝送路上に配設される伝送装置の減設ではなく、伝送路が三以上設けられ他の三以上の伝送装置と接続されている伝送装置を減設する場合には、減設にかかる伝送装置と既存の三以上の伝送装置との間で消滅する伝送路の定義を抹消し、残留する前記三以上の伝送装置間で伝送路定義デ−タを更新し、再定義することとしてもよい。さらに、新たに定義した伝送路を利用する新たなパスル−トを構築し、パスル−トデ−タに加えることもできる。
【０１０５】
また、これらの実施形態にかかる通信ネットワ−クシステムのパス設定方法は、複数の伝送装置と伝送装置間を接続する複数の伝送路とから構成される通信ネットワ−クと、通信ネットワ−クに接続される演算記憶処理装置を備える通信ネットワ−クシステムにおいて、伝送路を、接続する二の伝送装置とその接続に使用するポ−トとから伝送路ごとに個別に定義する伝送路定義デ−タ作成工程と、通信を行う伝送装置間で、伝送路を経路順に加えて構成し、少なくとも一の異なる伝送路を構成経路とする二以上のパスル−トを作成するパスル−トデ−タ作成工程と、パスル−トデ−タから一のパスル−トを選択する工程と、演算記憶処理装置が、選択されたパスル−トを構成する伝送路にかかる伝送路定義デ−タに基づいて、パスル−トを構築するためのパス設定デ−タを自動的に作成する工程と、演算記憶処理装置が、パス設定デ−タを伝送装置に送信する工程と、伝送装置が、受信したパス設定デ−タに基づき伝送装置のパス設定を行う工程と、を有するものである。
【０１０６】
これにより、整然と速やかにパス設定することができる。なお、伝送路定義デ−タの作成工程と、パスル−トデ−タ作成工程とは、通信ネットワ−クシステムを稼働する前の事前準備として、予め行っていてもよい。この場合、予め作成された両デ−タは記憶装置や、ネットワ−ク制御装置等に保持しておき、パス設定デ−タ作成時に随時、読み出し参照可能としてもよい。これらの作業を予め事前に準備した上で、ネットワ−クシステムの稼働をすれば、いかなる時にいかなる事態でパスル−トを変更する必要が生じても、迅速かつ的確に対応することが可能となるので好ましい。
【０１０７】
また、事前準備をしていない場合でも、最終的にパスル−トを選択する判断時においては、パスル−トデ−タから該当するパスル−ト番号を選択すればよいので、判断を行いやすい。すなわち、一端、伝送路定義デ−タを作成のうえ、複数のパスル−トをパスル−トデ−タとして作成し、チョイス候補一覧とできる。したがって、どのパスル−トを選択すべきかの比較検討が極めて行いやすく、一目瞭然でユ−ザフレンドリ−な設定方法となる。さらに、作成した既存のパスル−トデ−タの候補一覧中に、希望に合致するパスル−トが存在しない場合、伝送路定義デ−タに基づき伝送路の順次ベクトル和を構築することで、極めて容易に、ミスなく新たなパスル−トを構築することができ、またパスル−トデ−タの候補に加えてもよい。
【０１０８】
また、これらの実施形態にかかる通信ネットワ−クシステムの演算記憶処理装置は、複数の伝送装置と伝送装置間を接続する複数の伝送路とから構成される通信ネットワ−クと、通信ネットワ−クに接続される演算記憶処理装置を備える通信ネットワ−クシステムであって、伝送路を、接続する二の伝送装置とその接続に使用するポ−トとから伝送路ごとに個別に定義する伝送路定義デ−タを保持し、通信を行う伝送装置間で、伝送路を経路順に加えて構成し、少なくとも一の異なる伝送路を構成経路とする二以上のパスル−トを作成するパスル−トデ−タを保持し、パスル−トデ−タから一のパスル−トが選択されたことにより、選択されたパスル−トを構成する伝送路にかかる伝送路定義デ−タに基づき、パスル−トを構築するためのパス設定デ−タを自動的に作成するものである。
【０１０９】
これにより、通信経路を変更する際のオペレ−タは、現に、演算処理装置のパスル−トデ−タ一覧から一のパスル−トを選択するのみとできる。選択されれば、その後、演算処理装置から、伝送装置のパス設定指令が発信され、各伝送装置でパス設定が自動的に行われ切り替えられることで、新たな選択にかかるパスル−トが使用可能となる。従って、フェイルセ−フで、かつフ−ルプル−フな通信ネットワ−クシステムを実現する演算記憶処理装置とすることができる。また、同一類似の通信ネットワ−クシステムとしてパッケ−ジングして量産する場合においても、同一類似の伝送路定義デ−タやパスル−トデ−タをプリインスト−ルしておくことで、購入した需要者側や利用者側では、複雑なパス設定手続きが不要となり、ユ−ザ−フレンドリ−なシステムとできる。そして、ユ−ザのニ−ズに応じて通信経路もパスル−トの選択により簡易に変更できることから、顧客満足を高度なレベルで実現し、コストダウンと高機能化を両立できる通信システムとすることができる。
【０１１０】
また、これらの実施形態にかかる処理プログラムは、複数の伝送装置と伝送装置間を接続する複数の伝送路とから構成される通信ネットワ−クと、通信ネットワ−クに接続される演算記憶処理装置を備える通信ネットワ−クシステムにおいて、伝送路を、接続する二の伝送装置とその接続に使用するポ−トとから伝送路ごとに個別に定義する伝送路定義デ−タ作成工程と、通信を行う伝送装置間で、伝送路を経路順に加えて構成し、少なくとも一の異なる伝送路を構成経路とする二以上のパスル−トを作成するパスル−トデ−タ作成工程と、パスル−トデ−タから一のパスル−トを選択する工程と、演算記憶処理装置が、選択されたパスル−トを構成する伝送路にかかる伝送路定義デ−タに基づいて、パスル−トを構築するためのパス設定デ−タを自動的に作成する工程と、演算記憶処理装置が、パス設定デ−タを伝送装置に送信する工程と、伝送装置が、受信したパス設定デ−タに基づき伝送装置のパス設定を行う工程と、をパソコンで実行するための処理プログラムである。
【０１１１】
これにより、ユ−ザのパソコンを制御装置として、安価に活用することができる。なお、パソコンとは、典型的には個人的にも利用できる家庭用演算処理装置のことであって、いわゆるパ−ソナルコンピュ−タやワ−クステ−ション、携帯端末、他の情報処理端末機器及びそれらの結合であってもよい。また、必ずしも一定の形状を有するものでなくてもよく、例えばネットワ−ク上において一又は複数の不定の情報処理端末をフレキシブルに結合（例えばＬＡＮ、インタ−ネットや他の光回線等）することで、所定の演算処理を行い処理結果のみを入手する構成とするものでもよい。
【産業上の利用可能性】
【０１１２】
本発明は、複数の伝送装置や中継器から構成されるネットワ−クシステムに適用できる。特に、通信経路の再構築や再設定が必要とされる障害発生時やメンテナンスが必要となるフレキシブルなネットワ−クシステムには好適に利用できる。
【図面の簡単な説明】
【０１１３】
【図１】複数のＳＷ部を備える伝送装置とネットワ−ク構成
【図２】２つの端末パッケ−ジ間でのパス構築模式図
【図３】（ａ）オ−プンリング構成、（ｂ）リング構成
【図４】複雑なネットワ−ク構成
【図５】伝送路とポ−トの概念図
【図６】伝送路定義デ−タ
【図７】複雑なネットワ−クの場合の伝送路とポ−トの概念図
【図８】複雑なネットワ−クの場合の伝送路定義デ−タ
【図９】パスル−トの設定構成例
【図１０】パスル−ト例
【図１１】当初の通信経路を設定する際の手順説明図
【図１２】当初の通信経路を設定する際の手順の比較図
【図１３】増設する場合のパスル−ト図
【図１４】増設時のパス再構築手順図
【図１５】減設する場合のパスル−ト図
【図１６】減設時のパス再構築手順図
【図１７】パス設定のための事前準備のフロ−チャ−ト
【図１８】初期のパスル−ト設定動作
【図１９】中継局の増減設があった場合の処理フロ−
【符号の説明】
【０１１４】
１１・・伝送装置Ａ局、１２・・伝送装置Ｂ局、１３・・伝送装置Ｃ局、１４・・伝送装置Ｄ局、１５・・電話機、１６・・電話機、１７・・伝送路パッケ−ジ、１８・・ＳＳＷパッケ−ジ、１９・・端末パッケ−ジ、１ａ・・伝送路、２２・・伝送路、２３・・ＳＳＷパッケ−ジ、２４・・ＳＳＷパッケ−ジ、２５・・高速外部伝送路、２６・・高速外部伝送路、２９・・端末パッケ−ジ、
【図１】
2008153727.tif 000003
【図２】
2008153727.tif 000004
【図３】
2008153727.tif 000005
【図４】
2008153727.tif 000006
【図５】
2008153727.tif 000007
【図６】
2008153727.tif 000008
【図７】
2008153727.tif 000009
【図８】
2008153727.tif 000010
【図９】
2008153727.tif 000011
【図１０】
2008153727.tif 000012
【図１１】
2008153727.tif 000013
【図１２】
2008153727.tif 000014
【図１３】
2008153727.tif 000015
【図１４】
2008153727.tif 000016
【図１５】
2008153727.tif 000017
【図１６】
2008153727.tif 000018
【図１７】
2008153727.tif 000019
【図１８】
2008153727.tif 000020
【図１９】
2008153727.tif 000021